(57)【特許請求の範囲】
【請求項１】
第１の面および第２の面を有する全体的に平らなボディと、
前記第２の面上の複数の受入属性であって、前記受入属性が署名パネル、カード保持者名、カード有効期限、およびカード・セキュリティ・コードを備える、受入属性と、
を備え、
前記第１の面がその上にいかなる受入属性もなしに形成され、非受入カード・アートワークのための発行者の使用に完全に専用である、決済カード。
【請求項２】
前記第１の面が前記決済カードの発行者のアートワークを含む、請求項１に記載のカード。
【請求項３】
前記受入属性がバーコードおよび磁気ストライプのうちの少なくとも１つをさらに備える、請求項１に記載のカード。
【請求項４】
前記受入属性が磁気ストライプをさらに備える、請求項１に記載のカード。
【請求項５】
前記磁気ストライプが前記第２の面と色調整される、請求項４に記載のカード。
【請求項６】
前記カード・セキュリティ・コードが、前記第２の面と色調整された領域に配置される、請求項４に記載のカード。
【請求項７】
前記カード・セキュリティ・コードが前記第２の面と色調整された領域に配置され、前記磁気ストライプが前記第２の面と色調整される、請求項４に記載のカード。
【請求項８】
前記第１の面および第２の面が色調整される、請求項７に記載のカード。
【請求項９】
前記ボディ部がＩＳＯ／ＩＥＣ  ７８１０  ＩＤ−１フォーマットに準拠する、請求項１に記載のカード。
【請求項１０】
前記ボディ部の中に配置された集積回路チップをさらに備える、請求項１に記載のカード。
【請求項１１】
前記集積回路チップに結合された接触パッドをさらに備える、請求項１０に記載のカード。
【請求項１２】
前記集積回路チップに結合されたアンテナをさらに備える、請求項１０に記載のカード。
【請求項１３】
前記第２の面上に非接触動作のしるしをさらに備える、請求項１２に記載のカード。
【請求項１４】
前記平らなボディの前記第１の面が前記第２の面の前記受入属性の何れにも影響されない、請求項９に記載のカード。
【請求項１５】
前記カードの前記第２の面に接着された浮き彫りされた機能をさらに備える、請求項９に記載のカード。
【請求項１６】
決済カードであって、
第１の面と、
前記第１の面と不可分で同一の広がりを持つ第２の面と、
を備える、全体的に平らなボディを備え、
前記第２の面は、決済のための前記決済カードを引き受けるために、および／またはトランザクションを処理するために、商人によって必要とされる受入属性を前記第２の面上に見えるように有し、前記受入属性は、署名パネル、カード保持者名、有効期限、磁気ストライプ、および１つ以上のセキュリティ機能を含み、
前記第１の面は、その上に受入属性を有さず、非受入カード・アートワークのための発行者の使用に完全に専用である、決済カード。
【請求項１７】
前記受入属性の何れもが、前記平らなボディの前記第１の面に影響する浮き彫りされた機能を有しない、請求項１６に記載の決済カード。
【請求項１８】
前記平らなボディの前記第１の面がアートワークを有する、請求項１７に記載の決済カード。
【請求項１９】
前記全体的に平らなボディの中に配置された集積回路チップをさらに備える、請求項１６に記載の決済カード。
【請求項２０】
前記集積回路チップに結合され、前記第１の面および前記第２の面のうちの１つに配置される接触パッドをさらに備える、請求項１９に記載の決済カード。
【発明の詳細な説明】
【技術分野】
【０００１】
関連出願の相互参照
本ＰＣＴ特許出願は、２００９年２月１９日出願した「Ｐａｙｍｅｎｔ  Ｃａｒｄ  Ｈａｖｉｎｇ  Ａｃｃｅｐｔａｎｃｅ  Ａｔｔｒｉｂｕｔｅｓ  ｏｎ  ａ  Ｓｉｎｇｌｅ  Ｓｉｄｅ」という名称の米国仮特許出願第６１／１５３，６９３号の優先権を主張するものである。本ＰＣＴ特許出願はまた、２０１０年２月１８日に出願した「Ｐａｙｍｅｎｔ  Ｃａｒｄ  Ｈａｖｉｎｇ  Ａｃｃｅｐｔａｎｃｅ  Ａｔｔｒｉｂｕｔｅｓ  ｏｎ  ａ  Ｓｉｎｇｌｅ  Ｓｉｄｅ」という名称の米国特許出願第１２／７０８，０２９号の優先権を主張するものである。前述の仮特許出願第６１／１５３，６９３号および前述の米国特許出願第１２／７０８，０２９号の開示は、法律の許す限りすべての目的のために参照によりそれらの全体が本明細書に明示的に組み込まれている。
【０００２】
本発明は、一般に、電子商取引に関し、より具体的には、電子決済システムでの使用のための決済カードに関する。
【背景技術】
【０００３】
決済カードは、決済をするためにカード保持者によって提示されることが可能であるカードである。例として、かつ上記の一般性を限定することなく、決済カードは、クレジット・カード、デビット・カード、チャージ・カード、ストアド・バリュー・カード、またはプリペイド・カードでよい。
【０００４】
一般に、すべての決済カードは、「表」および「裏」を有する。ストア・カード（プライベート・ラベル・カードまたはクローズド・ループ・カードとしても知られている）の場合には、カード表面は、通常、ストア名および／またはロゴ、ならびに少なくとも口座番号および顧客名を有し、カード裏面は、通常、口座情報を含む少なくともバーコードまたは磁気ストライプを有する。ＭａｓｔｅｒＣａｒｄカードなどの汎用決済カード（オープン・ループ・カードとしても知られている）の場合には、カード表面は、一般に、決済ブランド、発行者ブランド、口座番号、カード保持者名、有効期限、いくつかのセキュリティ機能（ホログラムなど）を有する。カード裏面は、一般に、少なくとも磁気ストライプおよび署名パネルを有する。
【発明の概要】
【０００５】
本発明の原理は、片面に受入属性（ａｃｃｅｐｔａｎｃｅ  ａｔｔｒｉｂｕｔｅ）を有する決済カードのための方式を提供する。
【０００６】
一態様では、決済カードの例示的実施形態は、第１の面および第２の面を有する全体的に平らなボディ、および第２の面上に複数の受入属性を含み、第１の面は、その上にいかなる受入属性もなしに形成される。第１の面は、決済カードの発行者のアートワークを含んでよい。受入属性は、例えば、署名パネル、カード保持者名、カード有効期限、バーコードおよび磁気ストライプのうちの少なくとも１つ、ならびにカード・セキュリティ・コードを含んでよい。
【０００７】
他の態様では、決済カードを使用する例示的方法は、上記のような決済カードを商人に物理的に提示することと、商人がカードを裏返す必要なしに商人が受入属性のうちの少なくとも必要とされるものを見ることとを含む。追加のステップは、商人が受入属性のうちの必要とされるものを見ることに基づいてトランザクションを行うこと、および／またはカードの第１の面上に発行者アートワークを含むことによりカードの発行者を宣伝して売り込むことを含むことができる。
【０００８】
さらに他の態様では、決済カードを使用する他の例示的方法は、カード使用者から商人に上記のような決済カードの受入属性情報を（必ずしもカードを物理的に提示することなく）提供することを含む。上記複数の受入属性は、受入属性情報（例えば、口座番号およびカード・セキュリティ・コード）を含む。追加のステップは、カード使用者がカードを裏返す必要なしにカード使用者が受入属性情報を見ることを含む。追加のステップは、提供された受入属性情報に基づいてトランザクションを行うこと、および／またはカードの第１の面上に発行者アートワークを含むことによりカードの発行者を宣伝して売り込むことを含むことができる。
【０００９】
本発明のこれらおよび他の特徴および利点は、添付の図面に関連して読まれるべき本発明の例示的実施形態の以下の詳細な説明から、明らかになるであろう。
【図面の簡単な説明】
【００１０】
【図１Ａ】本発明の一態様による、好ましい実施形態を例示する図である。
【図１Ｂ】本発明の一態様による、好ましい実施形態を例示する図である。
【図２Ａ】本発明の他の態様による、他の好ましい実施形態を例示する図である。
【図２Ｂ】本発明の他の態様による、他の好ましい実施形態を例示する図である。
【図３】本発明の方式を実施することができる決済システムの一般的な例を示す図である。
【図４】（ｉ）複数の発行者と複数の取得者との間のトランザクションを容易にするように構成された決済ネットワークと、（ｉｉ）複数の顧客と、（ｉｉｉ）複数の商人と、（ｉｖ）複数の取得者と、（ｖ）複数の発行者との間の例示的相関関係を図示する図である。
【図５】本発明の１つ以上の実施形態に関連する、少なくともいくつかの場合における、有用な例示的コンピュータ・システムのブロック図である。
【図６Ａ】（チップのための接触板を有する）、本発明の他の態様による、他の好ましい実施形態を例示する図である。
【図６Ｂ】（チップのための接触板を有する）、本発明の他の態様による、他の好ましい実施形態を例示する図である。
【図７Ａ】（非接触動作のしるしを有する）、本発明のさらに他の態様による、さらに他の好ましい実施形態を例示する図である。
【図７Ｂ】（非接触動作のしるしを有する）、本発明のさらに他の態様による、さらに他の好ましい実施形態を例示する図である。
【発明を実施するための形態】
【００１１】
上記のように、決済カードは、決済をするためにカード保持者によって提示されることが可能であるカードである。例として、上記の一般性を限定することなく、決済カードは、クレジット・カード、デビット・カード、チャージ・カード、ストアド・バリュー・カード、またはプリペイド・カードでよい。
【００１２】
一般に、すべての決済カードは、「表」および「裏」を有する。ストア・カード（プライベート・ラベル・カードまたはクローズド・ループ・カードとしても知られている）の場合には、カード表面は、通常、ストア名および／またはロゴ、ならびに少なくとも口座番号および顧客名を有し、カード裏面は、通常、口座情報を含む少なくともバーコードまたは磁気ストライプを有する。ＭａｓｔｅｒＣａｒｄカードなどの汎用決済カード（オープン・ループ・カードとしても知られている）の場合には、カード表面は、一般に、決済ブランド、発行者ブランド、口座番号、カード保持者名、有効期限、およびいくつかのセキュリティ機能（ホログラムなど）を有する。カード裏面は、一般に、少なくとも磁気ストライプおよび署名パネルを有する。
【００１３】
一般に、決済カードの発行者は、カード保持者にカード・アートワークをアッピールしてビジュアルに提示するために、カードの表面または裏面上の上記要素の回りで作業しなければならない。
【００１４】
本発明の諸実施形態は、すべての受入属性または機能がカードの片面に配置されている決済カードを提供する。受入属性は、決済のためのカードを引き受けるために、および／またはトランザクションを処理するために、商人によって必要とされる属性である。そのような受入属性は、署名パネル、カード保持者名、有効期限、磁気ストライプ、および必要とされるセキュリティ機能（ホログラム、紫外線インク、およびＣＶＣ２コード（または他のカード・セキュリティ・コード）など）を含む。
【００１５】
背景として、カード検証値（ＣＶＶまたはＣＶ２）、カード検証値コード（ＣＶＶＣ）、カード検証コード（ＣＶＣ）、検証コード（Ｖ−ＣｏｄｅまたはＶ  Ｃｏｄｅ）、またはカード・コード検証（ＣＣＶ）と呼ばれることもあるカード・セキュリティ・コード（ＣＳＣ）は、クレジット・カード・トランザクションまたはデビット・カード・トランザクションのためのセキュリティ機能であり、クレジット・カード詐欺に対する保護を強化する。いくつかのタイプのセキュリティ・コードがある。
・  ＣＶＣ１またはＣＶＶ１と呼ばれる第１のコードは、カードの磁気ストライプ上にエンコードされ、本人直接のトランザクションのために使用される。
・  第２のコードであって、最も言及されるのは、ＣＶＶ２またはＣＶＣ２である。このＣＳＣ（ＣＣＩＤまたはクレジット・カードＩＤ）は、しばしば、商人がインターネットを介して、メール、ファックスによって、または電話で生じる「カードが存在しない」トランザクションをセキュリティ保護するために、商人によって求められる。西欧の多くの国では、カード詐欺の試みが増大しているので、今では、カード保持者本人が直接に存在しないときは、このコードを提供することが必須である。
・  非接触型カードおよびチップ・カードは、ｉＣＶＶまたはダイナミックＣＶＶなど、電子的に生成されたそれら自体のコードを提供することができる。
【００１６】
ＣＶＶ２は、カードまたは署名ストリップ上に印刷された３桁または４桁の数値であるが、磁気ストライプ上にエンコードされていない。ＭａｓｔｅｒＣａｒｄカード、Ｖｉｓａカード、Ｄｉｎｅｒｓ  Ｃｌｕｂカード、およびＪＣＢカード（それぞれの場合に、クレジット・カードおよびデビット・カードを含む）はそれぞれ、「ＣＶＣ２」（カード検証コード）、「ＣＶＶ２」（カード検証値）、「ＣＶＶ」、および「ＣＩＤ」（カード識別番号）と呼ばれる３桁のコードを有する。これは、通常、カード番号のように浮き彫りにされず、通常、常に、カードの裏面署名パネルに印刷された数字の最終グループである。いくつかの適用形態では、「ＣＶＣ２」は、署名ストリップの右の別個のパネルにある。これは、カードに署名することによって番号の上に書くことを防止するためになされている。Ａｍｅｒｉｃａｎ  Ｅｘｐｒｅｓｓカードは、ＣＩＤ（またはユニーク・カード・コード）と呼ばれる、番号の上にカードの表面に印刷された４桁のコードを有する。これは、通常、平らに印刷され、カード番号のように浮き彫りにされない。番号は、通常、発行銀行にしか知られていない鍵の下でカード番号および有効期限をハッシュすることにより、カードが発行されるときに生成される。トランザクションにおいてこのコードを提供することは、顧客がカードを所有していることを検証することを意図するものである。コードを知っていることは、顧客がカードを見たか、あるいはカードを見た誰かによって作られた記録を見たことを証明する。
【００１７】
すべての受入属性をカードの片面に配置することにより、本発明の諸実施形態によるカードは、
・  商人およびカード保持者が、中央の場所ですべての必要とされるカード受入属性を見ること、および
・  非受入カード・アートワークのための発行者の使用専用のカード面をフルに使用すること
をサポートする。
【００１８】
１つ以上の実施形態は、商人との対話において、商人がカードを裏返す必要がないという利点を提供する。署名は、通常商人によってアクセスされる他の情報（口座番号および有効期限など）とカードの同じ面に存在する。これは、商人が署名をチェックし損なうことによるチャージバックおよび／または再提示のための機会を低減する。
【００１９】
本発明の好ましいが非限定的な実施形態では、磁気ストライプは、それが配置されているカード面の背景の同様の色または陰影、色調または色合いで提供される。場合によっては、磁気ストライプは、背景と同じ色でよいが、これは、スワイプするために磁気ストライプの位置を特定するのを難しくするので、いくつかの他の選択肢より望ましくないと思われる（そのような場合には、磁気ストライプを描くために、輪郭、パターン、またはパターンなしなど、他のしるしが使用されてよい）。さらに、場合によっては、磁気ストライプは、異なる色、色調整されていない色、さらには通常の黒色でよいが、これは、審美的見地からいくつかの他の選択肢より望ましくないと思われる。本発明の好ましいが非限定的な実施形態では、署名パネルおよび／またはＣＶＣ２領域は、背景と同じ色、同様の色または陰影、色調または色合いで提示されてよい。署名パネルおよび／またはＣＶＣ２領域が背景と同じ色である場合は、それらは、好ましくは、背景上に署名パネルおよび／またはＣＶＣ２領域に存在しないパターンを有することによるなど、別のやり方で背景から区別される。
【００２０】
好ましいが非限定的な実施形態では、署名パネルは、４５度の角度でその上に、好ましくは、フィールドと同様であるが区別可能な色のレタリングを有する背景に合ったフィールド上に、印刷された、ＭａｓｔｅｒＣａｒｄ  Ｉｎｔｅｒｎａｔｉｏｎａｌ  Ｉｎｃｏｒｐｏｒａｔｅｄなどの決済カード・ネットワーク・オペレータの名前またはマークを有する。
【００２１】
したがって、磁気ストライプおよび／または署名パネルは、好ましくは、背景と色合わせまたは色調整され、それでも背景からはっきり区別可能である。さらに、好ましいが非限定的な手法では、カードの両面は、相互に色合わせまたは色調整される。
【００２２】
１つ以上の実施形態は、「２つの表面」を有するカードの認識を生成する。
【００２３】
１つ以上の場合に、例として、限定としてではなく、ＭａｓｔｅｒＣａｒｄ  Ｉｎｔｅｒｎａｔｉｏｎａｌ  Ｉｎｃｏｒｐｏｒａｔｅｄ、またはＶｉｓａ  Ｉｎｔｅｒｎａｔｉｏｎａｌ  Ｓｅｒｖｉｃｅ  Ａｓｓｏｃｉａｔｉｏｎ、またはプライベート・ラベルなどの決済カード・ネットワークのオペレータは、本発明の１つ以上の態様を組み込んだ１つ以上の決済カードのための審美的デザイン必要条件を設定することができることに留意されたい。
【００２４】
磁気ストライプ・カードは、カード上の磁気材料の帯上の非常に小さな鉄ベースの磁気粒子の磁性を変えることによりデータを記憶することができる一種のカードである。本明細書ではマグ・ストライプとも呼ばれる磁気ストライプは、物理的接触および読取りヘッドをスワイプすることにより読み取られる。
【００２５】
次に、図１Ａおよび１Ｂを参照すると、決済カードの一例示的実施形態は、発行者アートワークのために取っておかれる図１Ａに示されている第１の面１０、およびすべての受入属性が配置される図１Ｂに示されている第２の面１２を含む。右上から時計回りに説明を見てゆくと、第２の面は、ソース情報３２、発行者識別３４、ＣＶＣ２のインデント印刷３８、ＣＶＣ２のための領域４０、ＭａｓｔｅｒＣａｒｄ識別領域（ＭＩＡ）４２、口座番号の最後の４桁のインデント印刷３６、有効期限３０、カード保持者名２８、日付説明（「まで有効」）２６、ＢＩＮ（銀行識別番号）２４、および口座番号２２を含む。さらに続けて時計回りに説明を見てゆくと、２０のところに「署名のないカードは使用できません」という言葉、ＭａｓｔｅｒＣａｒｄ署名パネル１８、磁気ストライプ１６、および製品識別子１４も含まれている。製品識別子および発行者識別は磁気ストライプの上に重ね合わされることが可能であることが分かる。さらに、ＣＶＣ２パネルおよび署名パネルは隣接している。ＣＶＣ２セキュリティ・コードを有するＭａｓｔｅｒＣａｒｄカードが例示のために示されているが、他のタイプのカード・セキュリティ・コードを有する他のタイプのカードも本発明の１つ以上の実施形態によって構成されることが可能であることに留意されたい。カードは製品識別子を有しなくてもよいカードもあり、実施例に示されているものより多い、または少ない、あるいは異なる説明を有してよいカードもあることに留意されたい。さらに、製品識別子および／または発行者識別を磁気ストライプ上に重ね合わすことに関して、磁気ストライプ材料は、現在ロールで製造され、ワーディングは、あるとすれば、通常、反復パターンでその上に提供される。いくつかの場合には、この手法は、多分何らかの種類のインデックス方式で行われてよく、他の場合には、追加の図案などが磁気ストライプの上に付けられてよく、ホログラム（例えば、ＨＯＬＯＭＡＧ（登録商標）、ＪＤＳ  ＵＮＩＰＨＡＳＥ  Ｃｏｒｐｏｒａｔｉｏｎ、４３０  Ｎｏｒｔｈ  ＭｃＣａｒｔｈｙ  Ｂｌｖｄ．  Ｍｉｌｐｉｔａｓ  Ｃａｌｉｆｏｒｎｉａ、前のＡｍｅｒｉｃａｎ  Ｂａｎｋ  Ｎｏｔｅ  Ｈｏｌｏｇｒａｐｈｉｅｓ，Ｉｎｃ．、２  Ａｐｐｌｅｇａｔｅ  Ｄｒｉｖｅ、Ｒｏｂｂｉｎｓｖｉｌｌｅ、Ｎｅｗ  Ｊｅｒｓｅｙ  ０８６９１の磁気的にエンコードされたストリップなど）が付けられてよい。
【００２６】
ＭＩＡ４２およびＭａｓｔｅｒＣａｒｄ署名パネル１８は例示であり、代替物が他のブランドのカードのために利用されることが可能である。
【００２７】
図２Ａおよび２Ｂは、パーソナル・カードの代わりにビジネス・カードが示されていることを除いては、全体的に図１Ａおよび１Ｂと同様である。ビジネス・カードは、異なる製品識別子を有し、２８’において示されているように、カード保持者の名前のあとに会社名を含む。それを別にすれば、同様のアイテムは同様の数字を受けている。
【００２８】
図６Ａおよび６Ｂは、チップ・カードがチップ接触板１１０を有する代替実施形態を示す。図７Ａおよび７Ｂは、カードが非接触型であることを示す指示７８、ならびに対応するマーク７６（非接触型カード製品および／またはサービスのためのマークの例）を有する代替実施形態を示す。ＰＡＹＰＡＳＳ（登録商標）は、ＭａｓｔｅｒＣａｒｄ  Ｉｎｔｅｒｎａｔｉｏｎａｌ  Ｉｎｃｏｒｐｏｒａｔｅｄ  ｏｆ  Ｐｕｒｃｈａｓｅ、Ｎｅｗ  Ｙｏｒｋ、ＵＳＡの登録商標である。これらの非限定的な実施例では、磁気ストライプ１６には印刷がなく、製品識別子１４は異なる場所にあり、領域４２は下げられ、名前２８は口座番号２２の上に移される。接触板１１０は、場合によっては、代わりに面１０上に配置されてもよいことに留意されたい。それを別にすれば、同様のアイテムは同様の数字を受けている。顧客サービス番号６２に留意されたい。
【００２９】
場合によっては、カード上のレタリングおよび／またはナンバリングは、浮き彫りの反対側のカードの面の外観に対して影響を与える可能性があるので、浮き彫りにされなくてもよいことにも留意されたい。場合によっては、「陰影」タイプのフォントが浮き彫りに見せかけるために使用されてよい。さらに、場合によっては、浮き彫りされた機能は、別個の基板７９上に実装されてもよく、カードの残余の部分に接着されてもラミネートされてもよい。場合によっては、レーザ印刷またはサーマル印刷が利用されてよい。もちろん、所望の場合は、通常の浮き彫りが使用されることが可能である。
【００３０】
いくつかの実施形態は、磁気ストライプを有しなくてもよい（例として、限定としてではなく、米国外ではチップ・カードが使用される）ことに留意されたい。
【００３１】
したがって、一態様では、決済カードの一例示的実施形態は、第１の面１０および第２の面１２を有する全体的に平らなボディを含み、第２の面上に複数の受入属性を含み、第１の面はその上にいかなる受入属性もなしに形成されることが理解されるであろう。第１の面は、（任意選択で、エンティティ２０８などによる検討および承認を受ける）決済カードの発行者のアートワークを含んでよい。受入属性は、例えば、署名パネル１８、カード保持者名２８、カード有効期限３０、および３８などのカード・セキュリティ・コードの１つ、いくつか、またはすべてを含んでよい。場合によっては、受入属性は、バーコードおよび磁気ストライプ１６のうちの少なくとも１つをさらに備える。使用される場合、磁気ストライプは、場合によっては、第２の面と色調整されることが可能である。カード・セキュリティ・コードはまた、第２の面と色調整された領域４０上に配置されてよい。場合によっては、第１の面および第２の面は、色調整される。ボディ部は、好ましくは、通常のフォーム・ファクタを有する。場合によっては、集積回路チップ１０４、１１４は、ボディ部の中に配置される。図６Ｂおよび３に示されているように、接触パッド１１０は、集積回路チップに結合され、第１の面および第２の面のうちの１つに配置されることが可能である。図３に示されているように、場合によっては、アンテナが集積回路チップに結合され、そのような場合には、図７Ｂで見られるように、非接触動作のしるし７８が第２の面上に配置されてよい。
【００３２】
他の態様では、決済カードを使用する例示的方法は、上記のような決済カードを商人に物理的に提示することと、商人がカードを裏返す必要なしに商人が受入属性のうちの少なくとも必要とされるものを見ることとを含む。追加のステップは、商人が受入属性のうちの必要とされるものを見ることに基づいてトランザクションを行うこと、および／またはカードの第１の面上に発行者アートワークを含むことによりカードの発行者を宣伝して売り込むことを含むことができる。
【００３３】
他の態様では、決済カードを使用する他の例示的方法は、カード使用者から商人に上記のような決済カードの受入属性情報を（必ずしもカードを物理的に提示することなく）提供することを含む。上記の複数の受入属性は、受入属性情報（例えば、口座番号およびカード・セキュリティ・コード）を含む。追加のステップは、カード使用者がカードを裏返す必要なしにカード使用者が受入属性情報を見ることを含む。追加のステップは、提供された受入属性情報に基づいてトランザクションを行うこと、および／またはカードの第１の面上に発行者アートワークを含むことによりカードの発行者を宣伝して売り込むことを含むことができる。
【００３４】
次に、その中で本発明の諸実施形態によるカードが使用されることも可能であり、および／またはその中で本発明の諸実施形態による例示的方法が実行されることも可能であるシステム１００の非限定的な例を図示する図３に注意されたい。システムの様々な可能な構成要素が示されている。システム１００は、１つ以上の異なるタイプのポータブル決済装置を含むことができる。例えば、１つのそのような装置は、カード１０２などの接触型装置でよい。カード１０２は、プロセッサ部１０６およびメモリ部１０８を有する集積回路（ＩＣ）チップ１０４を含むことができる。通信のために複数の電気接点１１０が提供されることが可能である。カード１０２に加えて、またはその代わりに、システム１００はまた、カード１１２などの非接触型装置で動作するように設計されることが可能である。カード１１２は、プロセッサ部１１６およびメモリ部１１８を有するＩＣチップ１１４を含むことができる。例えば、無線周波数（ＲＦ）電磁波を使用するなど、非接触型通信のためにアンテナ１２０が提供されることが可能である。１つまたは複数の発振器、および／または変調、復調、下方変換などのうちの１つ以上のための追加の適切な回路が提供されることが可能である。他のタイプの装置は、磁気ストライプ１５２を有するカード１５０を含むこともできる。
【００３５】
ＩＣ１０４、１１４は、処理ユニット１０６、１１６、およびメモリ・ユニット１０８、１１８を含むことができる。好ましくは、ＩＣ１０４、１１４はまた、制御ロジック、タイマ、および入力／出力ポートのうちの１つ以上を含むことができる。そのような要素は、ＩＣ技術ではよく知られており、別個には例示されない。ＩＣ１０４、１１４の１つまたは両方はまた、コプロセッサを含むことができ、やはりよく知られているので、別個には例示されない。制御ロジックは、処理ユニット１０６、１１６と連携して、メモリ・ユニット１０８、１１８と入力／出力ポートとの間の通信を扱うために必要な制御を提供することができる。タイマは、処理ユニット１０６、１１６および制御ロジックからタイミング基準信号を提供することができる。コプロセッサは、暗号アルゴリズムによって必要とされるものなど、リアルタイムで複雑な計算を実行するための機能を提供することができる。
【００３６】
メモリ部またはユニット１０８、１１８は、揮発性および不揮発性メモリ、ならびに読出し専用およびプログラマブル・メモリなど、異なるタイプのメモリを含んでよい。メモリ・ユニットは、例えば使用者の個人識別番号（「ＰＩＮ」）および／またはプライマリ口座番号（「ＰＡＮ」）などのトランザクション・カード・データを記憶することができる。メモリ部またはユニット１０８、１１８は、カード１０２、１１２のオペレーティング・システムを記憶することができる。オペレーティング・システムは、アプリケーションをロードし、実行し、アプリケーションにファイル管理または他の基本的なカード・サービスを提供する。使用されることが可能である１つのオペレーティング・システムは、ＭＡＯＳＣＯ  ＬｉｍｉｔｅｄによってライセンスされたＭＵＬＴＯＳ（登録商標）オペレーティング・システムである。（ＭＡＯＳＣＯ  Ｌｉｍｉｔｅｄ．Ｓｔ．Ａｎｄｒｅｗｓ  Ｈｏｕｓｅ、Ｔｈｅ  Ｌｉｎｋｓ、Ｋｅｌｖｉｎ  Ｃｌｏｓｅ、Ｂｉｒｃｈｗｏｏｄ、Ｗａｒｒｉｎｇｔｏｎ、ＷＡ３  ７ＰＢ．Ｕｎｉｔｅｄ  Ｋｉｎｇｄｏｍ)。代替として、（Ｓｕｎ  Ｍｉｃｒｏｓｙｓｔｅｍｓ，Ｉｎｃ．、４１５０  Ｎｅｔｗｏｒｋ  Ｃｉｒｃｌｅ、Ｓａｎｔａ  Ｃｌａｒａ、ＣＡ  ９５０５４  ＵＳＡによってライセンスされた）ＪＡＶＡ  ＣＡＲＤ（商標）技術に基づくＪＡＶＡ  ＣＡＲＤ（商標）ベースのオペレーティング・システム、または、いくつかのベンダから入手可能な独自のオペレーティング・システムが利用されることも可能である。好ましくは、オペレーティング・システムは、メモリ部１０８、１１８の中の読出し専用メモリ（「ＲＯＭ」）に記憶されている。フラッシュメモリまたは他の不揮発性および／または揮発性タイプのメモリがメモリ・ユニット１０８、１１８において使用されてもよい。
【００３７】
オペレーティング・システムによって提供される基本的なサービスに加えて、メモリ部１０８、１１８はまた、１つ以上のアプリケーションを含んでよい。現在、そのようなアプリケーションが準拠することができる１つの可能な仕様は、ＥＭＶＣｏ、ＬＬＣ（９０１  Ｍｅｔｒｏ  Ｃｅｎｔｅｒ  Ｂｏｕｌｅｖａｒｄ、Ｍａｉｌｓｔｏｐ  Ｍ３−３Ｄ、Ｆｏｓｔｅｒ  Ｃｉｔｙ、Ｃａｌｉｆｏｒｎｉａ、９４４０４、ＵＳＡ）によって記述されているＥＭＶ相互運用可能決済仕様である。厳密に言えば、ＥＭＶ仕様は、端末の振る舞いを定義するが、カードは、そのようなＥＭＶ準拠端末の振る舞いに適合するように構成されることが可能であり、この意味で、それ自体ＥＭＶ準拠であることが理解されるであろう。アプリケーションは様々な異なるやり方で構成されることが可能であることが理解されるであろう。
【００３８】
分かるように、カード１０２、１１２は、様々な決済装置の例である。装置は、通常のフォーム・ファクタを有するカード、より小さいまたはより大きいカード、異なる形のカード、キー・フォブなどを含むこともできる。カードは、ボディ部（決済カード、チップ・パッケージングなどのラミネートされたプラスチック層）、ボディ部に関連付けられたメモリ１０８、１１８、およびボディ部に関連付けられメモリに結合されたプロセッサ１０６、１１６を含むことができる。メモリ１０８、１１８は、適切なアプリケーションを含むことができる。プロセッサ１０６、１１６は、１つ以上の方法ステップを実行するように動作可能であり得る。アプリケーションは、例えば、ファームウェアの形のソフトウェア・コード、ならびに電気的消去可能プログラマブル読出し専用メモリ（ＥＥＰＲＯＭ）などのカード・メモリ内のデータにリンクされたアプリケーション識別子（ＡＩＤ）でよい。さらに、「スマート」カードは必ずしも必要とされず、通常の磁気ストライプ・カードが利用されることが可能であることに留意されたい。
【００３９】
現在、片面上に受入属性を含むのに十分な空間を有するために、通常のフォーム・ファクタのフルサイズのカードを利用することが好ましいと考えられていることに留意されたい。
【００４０】
カードは、例えばＩＳＯ／ＩＥＣ  ７８１０  ＩＤ−１フォーマット（「フルサイズ」または「通常のフォーム・ファクタ」とも呼ばれる）に準拠してよい。
【００４１】
いくつかの異なるタイプの端末が、システム１００で利用されることが可能である。そのような端末は、接触型装置１０２とインターフェースするように構成された接触型端末１２２、無線装置１１２とインターフェースするように構成された無線端末１２４、磁気ストライプ装置１５０とインターフェースするように構成された磁気ストライプ端末１２５、または結合端末１２６を含むことができる。結合端末１２６は、いかなるタイプの装置１０２、１１２、１５０ともインターフェースするように設計される。いくつかの端末は、プラグイン非接触型リーダを有する接触型端末でよい。結合端末１２６は、メモリ１２８、プロセッサ部１３０、リーダ・モジュール１３２、ならびに、任意選択で、バーコード・スキャナ１３４および／または無線周波数識別（ＲＦＩＤ）タグ・リーダ１３６などのアイテム・インターフェース・モジュールを含むことができる。アイテム１２８、１３２、１３４、１３６は、プロセッサ１３０に結合されることが可能である。端末１２６の構成の原理は、他のタイプの端末に適用可能であり、例示の目的のために詳細に説明されることに留意されたい。リーダ・モジュール１３２は、カードまたは装置１０２との接触型通信、カードまたは装置１１２との非接触型通信、磁気ストライプ１５２の読み取り、あるいは上記のいずれか２つ以上の組合せのために構成されることが可能である（異なるタイプのカード、例えば、接触型、磁気ストライプ、または非接触型、と対話するために、異なるタイプのリーダが提供されることが可能である）。端末１２２、１２４、１２５、１２６は、コンピュータ・ネットワーク１３８を介して１つ以上の処理センタ１４０、１４２、１４４と接続されることが可能である。ネットワーク１３８は、例えば、インターネット、または独自のネットワークを含むこともできる。システムの異なる要素を接続するために複数のネットワークが利用されることも可能である。処理センタ１４０、１４２、１４４は、例えば、決済装置の発行者のホスト・コンピュータを含むこともできる。
【００４２】
ポイント・オブ・セール１４６、１４８によって表される多くの異なる小売店舗または他の店舗がネットワーク１３８に接続されることが可能である。１つ以上の場合に、様々な店舗が、ネットワークに接続される１つ以上の機械を介してバーチャル・プライベート・ネットワーク（ＶＰＮ）などの電気通信ネットワークとインターフェースすることができる。そのような店舗はそれぞれ、１つ以上の端末を有することができる。さらに、異なるタイプのポータブル決済装置、端末、または他の要素または構成要素は、図３の例示的装置上に図示された１つ以上の機能を結合する、または「混ぜる、および合わせる」ことができる。
【００４３】
ポータブル決済装置は、システム１００などのシステムの１２２、１２４、１２５、１２６などの端末を有する使用者によるトランザクションを容易にすることができる。そのような装置は、プロセッサ、例えば、上記で論じられた処理ユニット１０６、１１６を含むことができる。装置はまた、プロセッサに結合された、上記で論じられたメモリ部１０８、１１８などのメモリを含むことができる。さらに、装置は、プロセッサに結合され、端末１２２、１２４、１２５、１２６の１つなどの端末とインターフェースするように構成された通信モジュールを含むことができる。通信モジュールは、例えば、接触型または無線通信を介して端末とインターフェースすることを可能にする（前述の１つまたは複数の発振器および関連回路などの）適切な回路と共に接点１１０またはアンテナ１２０を含むことができる。装置のプロセッサは、方法および方式の１つ以上のステップを実行するように動作可能であり得る。プロセッサは、ハードウェア方式によって、および／またはメモリ・ユニットの１つに記憶されているアプリケーションなどのプログラム命令の影響の下で、そのような動作を実行することができる。
【００４４】
ポータブル装置は、ボディ部を含むことができる。例えば、これは、「スマート」カードまたはマグ・ストライプ・カードの場合は、（上記で論じられたような）ラミネートされたプラスチック・ボディでもよい。
【００４５】
端末１２２、１２４、１２５、１２６は、保持者の決済装置と対話するための端末装置の例であることが理解されるであろう。装置は、プロセッサ１３０などのプロセッサ、プロセッサに結合されたメモリ１２８などのメモリ、およびプロセッサに結合されポータブル装置とインターフェースするように構成された１３２などの通信モジュールを含むことができる。プロセッサ１３０は、通信モジュール１３２を介して使用者のポータブル決済装置と通信するように動作可能であり得る。端末装置は、プロセッサ１３０内のハードウェア方式によって、またはメモリ１２８に記憶されているプログラム命令によって機能することができる。そのようなロジックは、任意選択で、ネットワーク１３８を介して処理センタ１４０などのセントラル・ロケーションから提供されることもできる。購入されるべき製品上のＵＰＣコードまたはＲＦＩＤタグから製品識別などの属性データを収集するために、前述のバーコード・スキャナ１３４および／またはＲＰＩＤタグ・リーダ１３６が提供されることが可能であり、プロセッサに結合されることが可能である。
【００４６】
前述の装置１０２、１１２は、ＩＳＯ７８１６準拠の接触型カードまたは装置、あるいはＮＦＣ（ニア・フィールド通信）またはＩＳＯ１４４４３準拠の近接型カードまたは装置でよい。動作中、カード１１２は、端末１２４または１２８上でタッチまたはタップされることが可能であり、次いで、この端末は、カード１１２または他の無線装置内の近接型ＩＣチップに電子データを非接触的に送信する。
【００４７】
処理センタ１４０、１４２、１４４のうちの１つ以上は、データ・ウェアハウス１５４などのデータベースを含むことができる。
【００４８】
図４を参照すると、複数のエンティティ間の例示的関係が図示されている。何人かの異なる顧客２０２、Ｃ１、Ｃ２．．．ＣＮは、何人かの異なる商人２０４、Ｍ１、Ｍ２．．．ＭＭと対話する。商人２０４は、何人かの異なる取得者２０６、Ａ１、Ａ２．．．ＡＩと対話する。取得者２０６は、複数の発行者と複数の取得者との間のトランザクションを容易にするように構成された決済ネットワークの一人のオペレータ２０８、例えば、ＭａｓｔｅｒＣａｒｄ  Ｉｎｔｅｒｎａｔｉｏｎａｌ  Ｉｎｃｏｒｐｏｒａｔｅｄ、ＢＡＮＫＮＥＴ（登録商標）ネットワークのオペレータ、またはＶｉｓａ  Ｉｎｔｅｒｎａｔｉｏｎａｌ  Ｓｅｒｖｉｃｅ  Ａｓｓｏｃｉａｔｉｏｎ、ＶＩＳＡＮＥＴ（登録商標）ネットワークのオペレータを通じて、何人かの異なる発行者２１０、Ｉ１、Ｉ２．．．ＩＪと対話する。一般に、Ｎ、Ｍ、Ｉ、およびＪは、等しくても等しくなくてもよい整数である。
【００４９】
本発明の１つ以上の実施形態の文脈では、カード保持者２０２は、本発明の一実施形態による決済カードなどの装置を保持することもでき、商人２０４は、１２２、１２４、１２５、１２６などの端末を有することもでき、エンティティ２０６、２０８、２１０は、（必要に応じてデータ・ストレージ１５４を有する）１４０、１４２、１４４などの処理センタを操作することもできる。先に述べたように、ネットワーク（１つまたは複数）１３８は、バーチャル・プライベート・ネットワーク（ＶＰＮ）および／またはインターネットを含むこともでき、ＶＰＮは、例えば、前述のＢＡＮＫＮＥＴ（登録商標）ネットワークでもよく、エンティティ２０８は、例えば、ＭａｓｔｅｒＣａｒｄ  Ｉｎｔｅｒｎａｔｉｏｎａｌ  Ｉｎｃｏｒｐｏｒａｔｅｄなどのエンティティでもよい。
【００５０】
ネットワーク１３８は、エンティティ２０８によって操作されることが可能であり、例えば、ＩＳＯ８５８３メッセージングを利用することができる。
【００５１】
製造システムおよび製造物の詳細
本発明の諸実施形態によるカードは、ハードウェアおよび／またはソフトウェア態様を利用することができる、より大きいシステムの中で使用されることが可能である。ソフトウェアは、ファームウェア、常駐ソフトウェア、マイクロコードなどを含むがそれらに限定されない。ソフトウェアは、例えば、端末１２２、１２４、１２５、１２６、ならびに決済システム規格（および／または仕様）に従って動作しているネットワークの商人、発行者、取得者、プロセッサ、またはオペレータの（任意選択でデータ・ウェアハウス１５４を有する）処理センタ１４０、１４２、１４４などに関連して、利用されてもよい。ファームウェアは、例えば、カード１０２、１１２などの決済装置に関連して、利用されてもよい。
【００５２】
図５は、本発明の諸実施形態によるカードがその中で動作することができる、あるいは本発明の諸実施形態による方法がその中で実行されることが可能であるシステムの１つ以上の態様またはプロセスの一部またはすべてを実施することができるシステム５００のブロック図である。図５に示されているように、メモリ５３０は、本明細書で開示される方法、ステップ、および機能（図５にプロセス５８０としてまとめて示されている）の１つ以上の態様を実施するようにプロセッサ５２０を構成する。異なる方法ステップは、異なるプロセッサによって実行されることが可能である。メモリ５３０は、分散型でもローカルでもよく、プロセッサ５２０は、分散型でも単独でもよい。メモリ５３０は、（カード１０２、１１２に関して上記で説明されたようなメモリ部を含めて）電気的メモリ、磁気メモリ、または光メモリ、あるいはこれらのまたは他のタイプの記憶装置の任意の組合せとして、実装されてもよい。分散型プロセッサが利用される場合、プロセッサ５２０を構成する各分散型プロセッサは、一般に、それ自体のアドレス可能なメモリ空間を含むことに留意されたい。コンピュータ・システム５００の一部またはすべては、特定用途向け集積回路または汎用集積回路に組み込まれることが可能であることにも留意されたい。例えば、１つ以上の方法ステップは、ファームウェアを使用するのではなくＡＳＩＣにおけるハードウェアにおいて実行されることも可能である。ディスプレイ５４０は、様々な可能な入力／出力装置（例えば、ディスプレイ、マウス、キーボードなど）を表す。
【００５３】
当技術分野で知られているように、方法および装置の１つ以上の態様の一部またはすべては、それ自体が、コンピュータ読取り可能コード手段がその上で実施されるコンピュータ読取り可能媒体を備える製造物として分散されてよい。コンピュータ読取り可能プログラム・コード手段は、方法を実施するまたは装置を作成するためのステップのすべてまたは一部を実行するようにコンピュータ・システムと連携して動作可能である。コンピュータ使用可能媒体は、有形コンピュータ読取り可能書込み可能記憶媒体（例えば、フロッピー・ディスク、ハード・ドライブ、コンパクト・ディスク、ＥＥＰＲＯＭ、またはメモリ・カード、ただし伝送媒体または分離信号を含まない）でもよく、伝送媒体（例えば、光ファイバ、ワールドワイド・ウェブ、ケーブル、あるいは時分割多元接続、符号分割多元接続、または他の無線周波数チャネルを使用する無線チャネルを備えるネットワーク）でもよい。コンピュータ・システムでの使用に適した情報を記憶することができる、知られているまたは開発されるいかなる媒体が使用されてもよい。コンピュータ読取り可能コード手段は、コンピュータが、磁気媒体上の磁気変化、またはコンパクト・ディスク上の高さ変化などの命令およびデータを読み取ることができるようにするいかなる機構でもよい。媒体は、複数の物理的装置上に（または複数のネットワークを介して）分散されることが可能である。例えば、１つの装置は、端末に関連付けられた物理的記憶媒体でもよく、別の装置は、処理センタに関連付けられた物理的記憶媒体でもよい。
【００５４】
本明細書に記載のコンピュータ・システムおよびサーバはそれぞれ、方法、ステップ、および機能を実行するように関連プロセッサを構成するメモリを含む。そのような方法、ステップ、および機能は、例えば、様々なシステム要素上の処理機能によって、または要素の任意の組合せによって、実行されることが可能である。メモリは、分散型でもローカルでもよく、プロセッサは、分散型でも単独でもよい。メモリは、電気的メモリ、磁気メモリ、または光メモリ、あるいはこれらまたは他のタイプの記憶装置の任意の組合せとして実装されることも可能である。さらに、用語「メモリ」は、関連プロセッサによってアクセスされたアドレス可能な空間内のアドレスから読み出されるかまたはそれに書き込まれるいかなる情報をも包含するように十分広く解釈されるべきである。この定義によれば、関連プロセッサはネットワークから情報を取り出すことができるので、ネットワーク上の情報は依然としてメモリの範囲内にある。
【００５５】
したがって、システムの要素は、方法ステップを容易にするために適切な命令と共にコンピュータ技術を利用することができる。他の例として、端末装置１２２、１２４、１２５、１２６は、とりわけ、通信モジュール、通信モジュールに結合されたアンテナ、メモリ、ならびにメモリおよび通信モジュールに結合され、非接触型決済装置に問い合わせるように動作可能な少なくとも１つのプロセッサを含むことができる（アンテナおよび通信モジュールの代わりに、接触型カードなどの決済装置に問い合わせるかまたは磁気ストライプを読み取るために適切な接点および他の要素が提供されることが可能である）。
【００５６】
したがって、システムの１つ以上の態様はコンピュータ・プログラムを含むことができ、このコンピュータ・プログラムは、コンピュータ上でプログラムが実行されるときに１つ以上のステップを実行するように適合されたコンピュータ・プログラム・コード手段を備えること、およびそのようなプログラムは、有形のコンピュータ読取り可能書込み可能記憶媒体、例えば個別のソフトウエア・モジュールであって、１つ以上のハードウエア・プロセッサ上で実行する形態で実現されることが可能であることが理解されるであろう。さらに、システムは、１つ以上の装置要素または機能と共に、コンピュータに１つ以上のステップを実行させるように適合されたコードを備えるコンピュータを含むことができる。
【００５７】
本明細書において上記で論じられたコンピュータは、例えば、ＥＤＩ層などを介して、ネットワーク１３８、別のバーチャル・プライベート・ネットワーク（ＶＰＮ）、インターネット、ローカルエリアネットワークおよび／または広域ネットワーク（ＬＡＮおよび／またはＷＡＮ）のうちの１つ以上によって相互接続されることが可能である。コンピュータは、例えば、コンパイラ言語、インタープリタ言語、オブジェクト指向言語、アセンブリ言語、および／または機械語、例えば、Ｃ、Ｃ＋＋、ジャバ、ビジュアル・ベーシックなど（例示的および非限定的リスト）のうちの１つ以上でプログラムされることが可能であり、例えば、拡張可能マークアップ言語（ＸＭＬ）、リレーショナル・データベース・アプリケーション、スプレッドシートなどの知られているアプリケーション・プログラムを利用することもできる。コンピュータは、記載されたロジックを実行するようにプログラムされることが可能である。
【００５８】
本発明の例示的実施形態は、添付の図面に関連して本明細書で説明されてきたが、本発明は、それらの正確な実施形態に限定されないこと、および本発明の範囲および趣旨から逸脱することなく当業者によって様々な他の変更および修正が行われてよいことが理解されるべきである。
【図１Ａ】
0006266198.tif 000002
【図１Ｂ】
0006266198.tif 000003
【図２Ａ】
0006266198.tif 000004
【図２Ｂ】
0006266198.tif 000005
【図３】
0006266198.tif 000006
【図４】
0006266198.tif 000007
【図５】
0006266198.tif 000008
【図６Ａ】
0006266198.tif 000009
【図６Ｂ】
0006266198.tif 000010
【図７Ａ】
0006266198.tif 000011
【図７Ｂ】
0006266198.tif 000012